(57)【特許請求の範囲】
【請求項１】
アスファルト舗装面とそれに隣接して突出するコンクリートブロック側面との境界に所定幅のアスファルト含浸不織布（以下、アスファルトシートと略記）を所定区間断面Ｌ字状に曲折して被覆する設備として、移動容易な台車（１）と作業用支柱（５）と枠組（９）と位置決めハンドル（１２）とからなり、台車（１）には水平の回動と上下移動が自在の支柱（２）を立設し、燃料入りボンベ（３）を搭載し、支柱（２）は水平腕（４）を介してアスファルトシートの初期成形具（５）の収納部を固定し、後述する前段の車輪状回転体（１０）に至るまで、初期成形具（５）以降にアスファルトシートの形状維持のためガイド板を置いてあり、作業用支柱（６）を初期成形具（５）の収納部に接合固定し、作業用支柱（６）の頂部にアスファルトシートのロール巻き体（７）を取付け、作業用支柱（６）下端の枠組（９）を介してバーナー類（８）を取付け、作業用支柱（６）下端の枠組（９）を用いてアスファルトシートを敷設位置に誘導する前段の車輪状回転体（１０）を軸支（軸を回転可能に支持するの意）してあり、さらに、前段の車輪状回転体（１０）と所定間隔を設けて下流位置に、アスファルトシート敷設用の車輪状回転体（１１）を後段で軸支してあり、前段と後段の車輪状回転体（１０、１１) は、その回転面の中心点を通り回転面と直交する周縁の断面が、直角二等辺をなしており、前段の回転体（１０）は、後段の回転体に比し、原則半分の直径を有し、また敷設面から若干浮上位置に設置してあり、位置決めハンドル（１２）が枠組（９）に連結されてあることからなるアスファルトシートの敷設用設備。
【請求項２】
使用する初期成形具（５）が、引き込まれるアスファルトシートの幅の中央を、回転自在に軸支されタテ方向に回転する薄型円板の周縁で折り曲げ、さらにＶ字型の板２枚を重ねた間隙を通過させて一層つよくＶ字型に折り曲げるようにしてある請求項１記載のアスファルトシートの敷設用設備。
【請求項３】
請求項１記載のアスファルトシートの敷設用設備において、位置決めハンドル（１２）の下部において分岐している、円柱状補助ローラーの支持棒（１３）の蝶番（１６）を介し曲折部を伸ばし、位置決めハンドル（１２）を押し下げて補助ローラー（１４）の作動を可能にし、他はアスファルトシートのＬ字状敷設の場合と同様の操作をし、アスファルトシートの幅中央の折り目で敷設の位置決めをし、補助ローラー（１４）の作動によりアスファルト舗装面と平面的に隣接するコンクリート面の境界に平板状にアスファルトシートを被覆するアスファルトシートの敷設用設備。
【発明の詳細な説明】
【技術分野】
【０００１】
本発明はアスファルト舗装面とそれに隣接するコンクリート面との境界にアスファルトシートを敷設して固定し、雑草が発生するのを防止するための設備に関し、アスファルト舗装とコンクリートの両面が直交する場合と平面的に接続する場合とに対応するものである。
【０００２】
近年ブローンアスファルト単体を他の骨材や添加剤と共に基材の上に載置し打設するのに対し、シート状に形成したアスファルトシートが性能や作業性などで種々の優れた面があるため、路面の舗装や修理などに広く使用されるようになった。敷設作業ではバーナーで表面を加熱溶融させ平面部に載置するのが殆んどであるが、敷設する面が平坦でないと敷設が困難である。従来、角度をもって接している２面にまたがって１枚のアスファルトシートを敷設することが困難であるため、特許文献１記載のようにアスファルトシートの端部がコンクリート壁部に密接された状態で折り返して敷設されているが、防草効果が不充分であるばかりでなく、作業が甚だ煩雑である。ほかに、特許文献２によれば、構造物の側壁に防草アスファルトシートの端部が接するように配置してから、構造物の側壁と防草アスファルトシートの端部で形成される隅部に充填材料を配置する方法が提案されているが、きわめて煩雑であるばかりか、なお雑草が発生する傾向があり、改善が望まれている。
【０００３】
そこで、本出願人は、さきに、アスファルト舗装面に隣接して直交するコンクリートブロック側面の基部に雑草が発生するのを防止し、従来のものを改善する目的で、境界にアスファルト被覆の不織布（以下、アスファルトシートと略記）のアスファルトを溶融して断面Ｌ字状に被覆する設備として、移動容易な台車上に、アスファルトシートのロール巻き体を取り出し容易に載置し、台車上の支柱に支持具を介して作業用支柱を設け、作業用支柱の中程にアスファルトシートを断面Ｌ字状に折り曲げる成形用治具および押当て板を設け、作業用支柱の下端の枠に、アスファルトシート敷設用の回転体として、アスファルトシートとの接触部が直交する二直線をなすものを軸支し、円環の軸支枠にアスファルトシートを敷設する際の位置決めハンドルの下端を連結しておき、アスファルトの溶融用ガスバーナーを配置してある設備をを提案して試みたが、アスファルト舗装面とコンクリートブロック側面が直交する場合、１個の敷設用回転体の押圧により、アスファルトシートの折り曲げた面の表面からアスファルトがはみ出し、また、表面にしわが生じ易く、仕上がりが悪く、その表面が接触物により損傷を招くおそれがあり好ましくないので、この点の解決を研究してきた。
【先行技術文献】
【特許文献】
【０００４】
【特許文献１】特開２０００ー１７０１０７号公報
【特許文献２】特開２０１０ー２０９６１９号公報
【発明の概要】
【発明が解決しようとする課題】
【０００５】
本発明はさきに出願を試みた設備によりアスファルトシートの幅部のＬ字状折り曲げ端からアスファルトがはみ出し、また、仕上げ面にしわが生じ易く、接触物により損傷を招くおそれがあるという好ましくない点の解決を課題とした。
【課題を解決するための手段】
【０００６】
ここにおいて、本発明者は第一の発明として、アスファルト舗装面とそれに隣接して突出するコンクリートブロック側面との境界に所定幅のアスファルト含浸不織布（以下、アスファルトシートと略記）を所定区間断面Ｌ字状に曲折して被覆する設備として、移動容易な台車１と作業用支柱５と枠組９と位置決めハンドル１２とからなり、台車１には水平回動と上下移動が自在の支柱２を立設し、燃料入りボンベ３を搭載し、支柱２が水平腕４を介してアスファルトシートの初期成形具５の収納部を固定し、後述する前段の車輪状回転体１０に至るまで、初期成形具５以降に、アスファルトシート１５の形状維持用にガイド板を置き、作業用支柱６を初期成形具５の収納部に接合固定し、作業用支柱６の頂部にアスファルトシートのロール巻き体７を取付けてあり、作業用支柱６下端の枠組９を介してバーナー類８を取付け、作業用支柱６下端の枠組９を用いてアファルトシートを敷設位置に誘導する前段の車輪状回転体１０を軸支（軸を回転可能に支持するの意）してあり、さらに、前段の車輪状回転体と所定間隔を設けて下流位置に、アスファルトシート敷設用の車輪状回転体１１を後段で軸支してあり、前段と後段の車輪状回転体１０、１１は、図２に例示するごとく、その回転面の中心点を通り回転面と直交する周縁の断面が、直角二等辺をなしており、前段の回転体１０は、後段の回転体１１に比し原則半分の直径を有し、また敷設面から若干浮上した位置に設置してあり、位置決めハンドル１２が枠組９に連結されてあることからなるアスファルトシートの敷設用設備を見出し、上記の初期成形具５として、引き込まれるアスファルトシートの幅の中央を、回転自在に軸支されタテ方向に回転する薄型円板の周縁で折り曲げ、さらに断面がＶ字型の板２枚を重ねた間隙を通過させて一層つよく折り曲げるようにしてあるものを使用することにした。
【０００７】
さらに、第二の発明として、上記アスファルトシートの敷設用設備において、位置決めハンドル１２の下部において分岐している、円柱状補助ローラーの支持棒１３が、そこにある蝶番１６を介し曲折部を伸ばし、位置決めハンドル１２を押し下げて補助ローラー１４の作動を可能にし、他は上記、アスファルトシートのＬ字状敷設の場合と同様に操作して、アスファルトシートの折り目で敷設の位置決めをし、補助ローラー１４の作動によりアスファルト舗装面と平面的に隣接するコンクリート面の境界に平板状にアスファルトシートを被覆するようにしたアスファルトシートの敷設用設備をも見出すに至った。
【発明の効果】
【０００８】
第一の発明の設備およびその軽微な追加である第二の発明の設備により、コンクリートブロック側面と隣接するアスファルト舗装面の境界にアファルトシートを加熱溶融して断面Ｌ字状に敷設する作業が円滑、迅速にできるので経済的であり、雑草の発生阻止と同時に防水の効果も得られる。すなわち、第一の発明により、直立するコンクリートブロック側面と隣接するアスファルト舗装面の境界にアスファルトを加熱溶融してアスファルトシートを敷設すればアスファルトのはみ出しや表面にしわの発生もなく、仕上がりよく敷設作業が迅速にでき、雑草の発生阻止効果が得られ、また、第二の発明により平面的に接続する境界に対しても第一の発明と同様の効果が得られるので、本発明はその実用的利用価値が高いものと考える。
【図面の簡単な説明】
【０００９】
【図１】断面Ｌ字状に敷設したアスファルトシートの状態を示す説明図
【図２】実施例による車輪状回転体の正面図（ａ）と、その側面図（ｂ）
【図３】断面Ｌ字状の敷設面に対する作業時における回転体の姿勢を示す説明図
【図４】断面Ｌ字状の敷設を可能とする実施例による敷設設備一式を示す説明図
【図５】断面Ｌ字状のほか平面状の敷設も可能とする実施例による敷設設備一式を示す説明図
【発明を実施するための形態】
【００１０】
本発明を実施するにあたり、あらかじめ合成樹脂の長繊維による不織布を所定形状に加工して芯材とし、それにアスファルトを充分含浸し被覆したシートを適宜乾燥後、所定寸法に切断しロール状に巻き上たものを使用する。その際、シートの表面に耐磨耗性のある粉粒体を付着して耐久性を付与したほうが望ましい。不織布に使用する合成樹脂はとくに限定されないが、現今多用され、俗にペット樹脂と俗称されるポリエチレンテレフタレートの再生品などを活用することができる。
【００１１】
ところで現今、不織布にアスファルトを含浸させたアスファルト被覆部材には市販品があり、綾羽（アヤハ）株式会社（滋賀県高嶋市）から販売されており、段差のないコンクリート部とアスフルト部の境界に使用することが紹介されているが、効果的な敷設設備なしでは作業が容易でない。
なお、市販品としてのアスファルトシートは、幅１５ｃｍ、長さ１０ｍ、厚さ３．２ｍｍのものが該社から販売されているので入手することができる。本発明ではかような市販品を使用している。
【００１２】
ここで、本発明による敷設設備による操作手順を概略述べれば、アスファルトシートは初期成形具５により初期の成形がなされたあと、ガイド板で形状を維持されながら作業用支柱６の下端に導かれ、アスファルトシート１５の敷設面を、台車上のガスボンベや点火装置、ガスバーナーの配置により加熱溶融してから、所定の位置で作業用支柱６の下端にある枠組９で軸支されている前段の小型車輪状回転体１０による圧接を経て、引き続き適宜間隔で敷設用に前者同様、枠組９で軸支されている大型車輪状回転体１１によりアスファルトシート１５を押圧して図１に示す状態に敷設する。
【００１３】
敷設用の車輪状回転体１１には軸支されている枠組９を介して位置決めハンドル１２が連結していて、アスファルトシートの折り目を所定位置に導いて敷設を仕上げる。
【００１４】
図３には敷設面に対する敷設用の車輪状回転体１１の姿勢を示してあり、敷設用の車輪状回転体１１は直交する敷設面のそれぞれに対し４５度の傾斜をしながら回転をすることになる。
【００１５】
以上をまとめ、アスファルトシートを敷設する手順について補足すれば、アスファルトシートを初期成型具５でおよそ断面Ｌ字状に成形し、引き続きガイド板でその形状を維持し、作業用支柱６下端の枠組９で軸支されている大小の車輪状回転体１１、１０の位置を台車や支柱の位置を動かして設定し、敷設するアスファルトシート面を加熱溶融し、アスファルトシート１５を敷設位置に台車１の移動で誘導し、小型車輪状回転体１０で誘導し、大型車輪状回転体１１の外周面の回転押圧により所定の箇所にアスファルトシート１５を敷設することができる。
【実施例１】
【００１６】
図４に示した、本発明によるアスファルトシートを断面Ｌ字状にする敷設設備について説明すれば、アスファルト舗装面とそれに隣接して突出するコンクリートブロック側面との境界に所定幅の不織布にアスファルトを含浸し被覆したアスアファルトシートを所定区間断面Ｌ字状に曲折して被覆する設備として、移動容易な台車１と作業用支柱６と枠組９と位置決めハンドル１２とからなり、台車１は車内に水平の回動と上下移動自在の支柱２を立設し、燃料入りボンベ３を搭載し、車内の支柱２は水平腕４を介してアスファルトシートの初期成形具５の収納部を固定し、アスファルトシート１５は後述する前段の車輪状回転体１０に至るまで、初期成形具５を経たあともその形状維持にガイド板を置き、作業用支柱６は初期成形具５の収納部に接合してあり、作業用支柱６の頂部にアスファルトシートのロール巻き体７を取付けてあり、作業用支柱６の下方に枠組９を介しバーナー類８を取り付けて保持し、作業用支柱６の下端の枠組９を介してアファルトシート１５を敷設位置に誘導する前段の車輪状回転体１０を軸支（軸を回転可能に支持するの意）してあり、さらに、前段の車輪状回転体１０と後段の車輪状回転体１１の中心間の距離を３００ｍｍにとり、敷設用の車輪状回転体１１を枠組９で軸支してあり、前段および後段の車輪状回転体１０、１１は図２に示すごとき形状のものを使用し、前段と後段の車輪状回転体１０、１１は直径比が１対２（直径１５０ｍｍと３００ｍｍ）と異なるものを使用し、前段の車輪状回転体１０を敷設面から３ｃｍ高位置に保持してある。なお、車輪状回転体１１の周縁の直角をなす二等辺の全長は、アスアファルトシートの幅に見合うものである。また、枠組９には位置決めハンドル１２を連結してある。
【００１７】
この実施例で使用される初期成形具５は、引き込まれるアスファルトシートの幅の中央を、回転自在に軸支されているタテ回転の薄型円板の周縁で折り曲げ、さらに断面Ｖ字型の板二枚を重ねた間隙を通過させて一層つよく折り曲げるようにしてあるものである。
【００１８】
また、実施例において初期成形具５を経たあとのアスファルトシート１５の形状を維持させるため、ガイド板として、断面がハの字を上下逆さにした形状の板面を設け、その内側をアスファルトシート１５が通過するようにしている。
【００１９】
以上の設備を用い熱溶融したアスファルトシートを敷設するにあたり、大小の車輪状回転体１０、１１がアスファルトシートに当接するようその位置を決めるため、台車１を移動し、かつ車内の支柱２の位置をその水平方向の回動と上下移動を組合せて調整し、作業用支柱６の下端が敷設位置を平行に移動できるようにする。
【００２０】
なお、敷設作業にあたり、アスファルトシート１５は敷設直前までにガスバーナーで加熱されアスファルトが溶融し、位置決めハンドル１２先端の枠組９で車輪状回転体１０、１１を軸支する枠組９を把握して、車輪状回転体１１を押圧すれば、所定位置にアスファルトシート１５の敷設がおこなわれる。このようにして作業用支柱６の下端位置を維持し台車１で平行移動を続ければ敷設作業が順調におこなわれる。
【実施例２】
【００２１】
アスファルトシートを平面的に敷設する方法について述べれば、実施例１における図４の設備に追加した図５の設備について説明するが、蝶番１６を介し補助ローラー支持棒１３を伸長し、位置決めハンドル１２で押し下げて円柱状の補助ローラー１４の作動を可能にしてから、アスファルトシート１５を初期成型具５で断面Ｌ字状に成形し、ガイド板を経たアスファルト面を加熱溶融し、位置決めハンドル１２で円柱状である補助ローラー１４を押圧位置に誘導してから、アスファルトシート１５の折り目をみながら、その敷設位置を確認して補助ローラー１４を押圧回転すればアスファルトシート１５を平面状に敷設することができる。
【産業上の利用可能性】
【００２２】
本発明のアスファルトシートの敷設設備の使用により、アスファルトシートの敷設作業が迅速かつ経済的にでき、防草効果が確実に得られるので、国内の各所で本発明の敷設設備を広く利用すれば、その経済効果は大きいものと思われる。
【符号の説明】
【００２３】
台車            １
支柱            ２
ボンベ          ３
水平腕          ４
初期成形具      ５
作業用支柱      ６
アスファルトシートのロール巻き体    ７
バーナー類      ８
枠組            ９
前段の車輪状回転体    １０
敷設用の車輪状回転体  １１
位置決めハンドル      １２
補助ローラー支持棒    １３
補助ローラー    １４
アスファルトシート    １５
蝶番                  １６
【図１】
0005385361.tif 000002
【図２】
0005385361.tif 000003
【図３】
0005385361.tif 000004
【図４】
0005385361.tif 000005
【図５】
0005385361.tif 000006